(57)【特許請求の範囲】
【請求項１】
複数の区分断路器により分割された母線のうち、任意の母線を保護する分割リレーが演算を実行すると、その分割リレーの保護範囲に隣接する区分断路器の開閉状態を検出する状態検出手段と、上記状態検出手段の検出結果に基づいて当該分割リレーの演算結果を送信する送信対象の分割リレーを決定する決定手段と、上記決定手段により決定された分割リレーに演算結果を送信する送信手段とを備えた分割リレーの演算制御装置。
【請求項２】
決定手段は、保護範囲に隣接する下流側の区分断路器が閉路している場合、その区分断路器の反対側の母線を保護する分割リレーを送信対象に決定することを特徴とする請求項１記載の分割リレーの演算制御装置。
【請求項３】
保護範囲に隣接する上流側の区分断路器が閉路している場合、その区分断路器の反対側の母線を保護する分割リレーから演算結果を受信する受信手段を設けたことを特徴とする請求項１または請求項２記載の分割リレーの演算制御装置。
【請求項４】
複数の区分断路器により分割された母線のうち、任意の母線を保護する分割リレーが演算を実行すると、その分割リレーの保護範囲に隣接する区分断路器の開閉状態を検出するとともに、その検出結果に基づいて当該分割リレーの演算結果を送信する送信対象の分割リレーを決定し、その分割リレーに演算結果を送信する分割リレーの演算制御方法。
【請求項５】
保護範囲に隣接する下流側の区分断路器が閉路している場合、その区分断路器の反対側の母線を保護する分割リレーを送信対象に決定することを特徴とする請求項４記載の分割リレーの演算制御方法。
【請求項６】
保護範囲に隣接する上流側の区分断路器が閉路している場合、その区分断路器の反対側の母線を保護する分割リレーから演算結果を受信することを特徴とする請求項４または請求項５記載の分割リレーの演算制御方法。
【発明の詳細な説明】
【０００１】
【発明の属する技術分野】
この発明は、各々の母線を保護する分割リレーの演算順序を制御する分割リレーの演算制御装置及び分割リレーの演算制御方法に関するものである。
【０００２】
【従来の技術】
図４は従来の分割リレーの演算制御装置が適用する電力系統を示す系統図であり、図において、１〜４は母線区分断路器９〜１１によって区分けされた甲母線、５〜８は母線区分断路器１２〜１４によって区分けされた乙母線、９〜１１は甲母線１〜４を区分けする母線区分断路器、１２〜１４は乙母線５〜８を区分けする母線区分断路器、１５〜１８は甲母線１〜４と乙母線５〜８を分割する分割断路器、１９〜２２は甲母線１〜４を保護する分割リレー、２３〜２６は乙母線５〜８を保護する分割リレー、２７〜３４は分割リレー１９〜２６の保護範囲である。
【０００３】
次に動作について説明する。
従来の分割リレーの演算制御装置は、電力系統に事故が発生すると、母線区分断路器９〜１４と分割断路器１５〜１８の開閉状態、即ち、［ＯＮ］・［ＯＦＦ］を検出する。
【０００４】
分割リレーの演算制御装置は、母線区分断路器９〜１４と分割断路器１５〜１８の開閉状態を検出すると、予め、母線区分断路器９〜１４と分割断路器１５〜１８の［ＯＮ］・［ＯＦＦ］を条件とする分割リレー１９〜２６の演算優先順位が格納されているテーブルを参照して（テーブルには各断路器のＯＮ・ＯＦＦの組合せ毎に、演算優先順位を格納している）、現在の開閉状態に合致する分割リレー１９〜２６の演算優先順位を検索する。
【０００５】
分割リレーの演算制御装置は、現在の開閉状態に合致する分割リレー１９〜２６の演算優先順位を検索すると、その演算優先順位にしたがって分割リレー１９〜２６の演算を制御する。
【０００６】
【発明が解決しようとする課題】
従来の分割リレーの演算制御装置は以上のように構成されているので、現在の開閉状態に合致する分割リレー１９〜２６の演算優先順位を検索できれば、分割リレー１９〜２６の演算を制御することができるが、母線区分断路器と分割断路器の台数が増加して、電力系統の区分数が増加すると、膨大な量の［ＯＮ］・［ＯＦＦ］条件から現在の開閉状態に合致する分割リレーの演算優先順位を検索しなければならず、速やかに分割リレーの演算を制御することが困難になる課題があった。
また、新たに分割リレーを追加する場合、テーブルに格納されている［ＯＮ］・［ＯＦＦ］条件を再度検証する必要があるため、分割リレーを簡単に追加することができない課題があった。
【０００７】
この発明は上記のような課題を解決するためになされたもので、電力系統の区分数が増加しても、速やかに分割リレーの演算を制御することができるとともに、分割リレーを簡単に追加することができる分割リレーの演算制御装置及び分割リレーの演算制御方法を得ることを目的とする。
【０００８】
【課題を解決するための手段】
この発明に係る分割リレーの演算制御装置は、状態検出手段の検出結果に基づいて分割リレーの演算結果を送信する送信対象の分割リレーを決定する決定手段を設けたものである。
【０００９】
この発明に係る分割リレーの演算制御装置は、保護範囲に隣接する下流側の区分断路器が閉路している場合、その区分断路器の反対側の母線を保護する分割リレーを送信対象に決定する決定手段を設けたものである。
【００１０】
この発明に係る分割リレーの演算制御装置は、保護範囲に隣接する上流側の区分断路器が閉路している場合、その区分断路器の反対側の母線を保護する分割リレーから演算結果を受信する受信手段を設けたものである。
【００１１】
この発明に係る分割リレーの演算制御方法は、分割リレーの保護範囲に隣接する区分断路器の開閉状態を検出し、その検出結果に基づいて当該分割リレーの演算結果を送信する送信対象の分割リレーを決定するようにしたものである。
【００１２】
この発明に係る分割リレーの演算制御方法は、保護範囲に隣接する下流側の区分断路器が閉路している場合、その区分断路器の反対側の母線を保護する分割リレーを送信対象に決定するようにしたものである。
【００１３】
この発明に係る分割リレーの演算制御方法は、保護範囲に隣接する上流側の区分断路器が閉路している場合、その区分断路器の反対側の母線を保護する分割リレーから演算結果を受信するようにしたものである。
【００１４】
【発明の実施の形態】
以下、この発明の実施の一形態を説明する。
実施の形態１．
図１はこの発明の実施の形態１による分割リレーの演算制御装置が適用する電力系統を示す系統図であり、図において、５１〜５４は母線区分断路器５９〜６１によって区分けされた甲母線（母線）、５５〜５８は母線区分断路器６２〜６４によって区分けされた乙母線（母線）、５９〜６１は甲母線５１〜５４を区分けする母線区分断路器（区分断路器）、６２〜６４は乙母線５５〜５８を区分けする母線区分断路器（区分断路器）、６５〜６８は甲母線５１〜５４と乙母線５５〜５８を分割する分割断路器（区分断路器）、６９〜７２は甲母線５１〜５４を保護する分割リレー、７３〜７６は乙母線５５〜５８を保護する分割リレー、７７〜８４は分割リレー６９〜７６の保護範囲である。
【００１５】
図２はこの発明の実施の形態１による分割リレーの演算制御装置を示す構成図であり、図において、９１は例えば甲母線５１を保護する分割リレー６９が演算を実行すると、その分割リレー６９の保護範囲７７に隣接する母線区分断路器５９及び分割断路器６５の開閉状態を検出する状態検出部（状態検出手段）、９２は状態検出部９１の検出結果に基づいて当該分割リレーの演算結果を送信する送信対象の分割リレーを決定する決定部（決定手段）、９３は決定部９２により決定された分割リレーに演算結果を送信するとともに、他の分割リレーから送信された演算結果を受信する通信部（送信手段、受信手段）である。
なお、図３はこの発明の実施の形態１による分割リレーの演算制御方法を示すフローチャートである。
【００１６】
次に動作について説明する。
電力系統に事故が発生して、例えば、分割リレー６９が演算を実行すると、状態検出部９１は、分割リレー６９の保護範囲７７に隣接する母線区分断路器５９と分割断路器６５の開閉状態、即ち、［ＯＮ］・［ＯＦＦ］を検出する。
【００１７】
決定部９２は、母線区分断路器５９が［ＯＮ］である場合には、分割リレー６９の演算結果を送信する送信対象を分割リレー７０に決定し、また、分割断路器６５が［ＯＮ］である場合には、分割リレー６９の演算結果を送信する送信対象を分割リレー７３に決定する。
そして、通信部９３は、決定部９２により決定された送信対象に分割リレー６９の演算結果を送信する。
【００１８】
例えば、分割リレー７０が演算を実行する場合、最初に、状態検出部９１が分割リレー７０の保護範囲７８に隣接する上流側の断路器、即ち、母線区分断路器５９の開閉状態を検出する（ステップＳＴ１）。
そして、決定部９２は、母線区分断路器５９が［ＯＦＦ］である場合には（ステップＳＴ２）、分割リレー７０に対して演算の実行を開始させるが（ステップＳＴ３）、母線区分断路器５９が［ＯＮ］である場合には（ステップＳＴ２）、分割リレー７０の演算結果は分割リレー６９の演算結果と一致するので、分割リレー６９の演算結果を受信させる（ステップＳＴ４）。
【００１９】
次に、状態検出部９１は、分割リレー７０の保護範囲７８に隣接する下流側の断路器、即ち、母線区分断路器６０と分割断路器６６の開閉状態を検出する（ステップＳＴ５）。
そして、決定部９２は、母線区分断路器６０が［ＯＮ］である場合には（ステップＳＴ６）、分割リレー７０の演算結果を送信する送信対象を分割リレー７１に決定し、また、分割断路器６６が［ＯＮ］である場合には（ステップＳＴ６）、分割リレー７０の演算結果を送信する送信対象を分割リレー７４に決定する。そして、通信部９３は、決定部９２により決定された送信対象に分割リレー７０の演算結果を送信する（ステップＳＴ７）。
【００２０】
このように、保護範囲に隣接する断路器の［ＯＮ］・［ＯＦＦ］を条件にして、例えば、保護範囲の上流側（左側及び上側）の断路器が［ＯＮ］であれば、上流側の分割リレーから演算結果を受信し、保護範囲の下流側（右側及び下側）の断路器が［ＯＮ］であれば、下流側の分割リレーに演算結果を送信するというような優先順位を決定すると、各分割リレーは、３個の［ＯＮ］・［ＯＦＦ］のみを条件にして演算結果の送受信を実行することができる。
【００２１】
したがって、従来のように、膨大な量の［ＯＮ］・［ＯＦＦ］条件から現在の開閉状態に合致する分割リレーの演算優先順位を検索することなく、分割リレーの演算順位を決定することができるので、速やかに分割リレーの演算を制御することができる効果を奏する。また、新たに分割リレーを追加する際、電力系統全体の断路器の［ＯＮ］・［ＯＦＦ］条件を再検証する必要がないので、分割リレーの拡張を容易に行うことができる効果を奏する。
【００２２】
【発明の効果】
以上のように、この発明によれば、状態検出手段の検出結果に基づいて分割リレーの演算結果を送信する送信対象の分割リレーを決定する決定手段を設けるように構成したので、電力系統の区分数が増加しても、速やかに分割リレーの演算を制御することができるとともに、分割リレーを簡単に追加することができる効果がある。
【００２３】
この発明によれば、保護範囲に隣接する下流側の区分断路器が閉路している場合、その区分断路器の反対側の母線を保護する分割リレーを送信対象に決定する決定手段を設けるように構成したので、電力系統の区分数が増加しても、速やかに分割リレーの演算を制御することができるとともに、分割リレーを簡単に追加することができる効果がある。
【００２４】
この発明によれば、保護範囲に隣接する上流側の区分断路器が閉路している場合、その区分断路器の反対側の母線を保護する分割リレーから演算結果を受信する受信手段を設けるように構成したので、分割リレーの演算を省略することができる効果がある。
【００２５】
この発明によれば、分割リレーの保護範囲に隣接する区分断路器の開閉状態を検出し、その検出結果に基づいて当該分割リレーの演算結果を送信する送信対象の分割リレーを決定するように構成したので、電力系統の区分数が増加しても、速やかに分割リレーの演算を制御することができるとともに、分割リレーを簡単に追加することができる効果がある。
【００２６】
この発明によれば、保護範囲に隣接する下流側の区分断路器が閉路している場合、その区分断路器の反対側の母線を保護する分割リレーを送信対象に決定するように構成したので、電力系統の区分数が増加しても、速やかに分割リレーの演算を制御することができるとともに、分割リレーを簡単に追加することができる効果がある。
【００２７】
この発明によれば、保護範囲に隣接する上流側の区分断路器が閉路している場合、その区分断路器の反対側の母線を保護する分割リレーから演算結果を受信するように構成したので、分割リレーの演算を省略することができる効果がある。
【図面の簡単な説明】
【図１】この発明の実施の形態１による分割リレーの演算制御装置が適用する電力系統を示す系統図である。
【図２】この発明の実施の形態１による分割リレーの演算制御装置を示す構成図である。
【図３】この発明の実施の形態１による分割リレーの演算制御方法を示すフローチャートである。
【図４】従来の分割リレーの演算制御装置が適用する電力系統を示す系統図である。
【符号の説明】
５１〜５４  甲母線（母線）、５５〜５８  乙母線（母線）、５９〜６４  母線区分断路器（区分断路器）、６５〜６８  分割断路器（区分断路器）、６９〜７６  分割リレー、７７〜８４  保護範囲、９１  状態検出部（状態検出手段）、９２  決定部（決定手段）、９３  通信部（送信手段、受信手段）。
【図１】
0003568826.tif 000002
【図２】
0003568826.tif 000003
【図３】
0003568826.tif 000004
【図４】
0003568826.tif 000005